(57)【要約】【課題】            従来、水面に浮遊している多種の雑多なごみを大掛かりな設備を不要とし、自動的に捕集する装置の存在はなかったという点である。【解決手段】        上面開口とし、底面にバランス調整用のウェイトを備えた容器本体を有し、その容器本体の開口外縁の近傍に複数のフロートを連結し、かつ、容器本体内には分別用のネットを設け、かつ、容器内に流入した水の汲み出し機構を備えていることとし、少なくとも前記した容器本体の上面開口は円形としてあることとする。【選択図】          図４
2018017064.tif 000002
【特許請求の範囲】
【請求項１】
上面開口とし、底面にバランス調整用のウェイトを備えた容器本体を有し、その容器本体の開口外縁の近傍に複数のフロートを連結し、かつ、容器本体内には分別用のネットを設け、かつ、容器内に流入した水の汲み出し機構を備えていることを特徴とする水面の浮遊ごみ捕集装置。
【請求項２】
少なくとも前記した容器本体の上面開口は円形としてあることを特徴とする請求項１に記載の水面の浮遊ごみ捕集装置。
【請求項３】
前記した水の汲み出し機構は、サイホン原理を利用したホースであることを特徴とする請求項１または２に記載の水面の浮遊ごみ捕集装置。
【請求項４】
前記した水の汲み出し機構は、モーターを駆動源とするポンプであることを特徴とする請求項１または２に記載の水面の浮遊ごみ捕集装置。
【請求項５】
前記したポンプを備えた機構の上面にはモーターの電源として利用するソーラーパネルが備えられていることを特徴とする請求項４に記載の水面の浮遊ごみ捕集装置。
【請求項６】
前記したポンプを備えた機構の汲み上げ管の下端は容器本体の底面近くに位置されていることを特徴とする請求項４または５に記載の水面の浮遊ごみ捕集装置。
【請求項７】
前記したポンプを備えた機構の汲み上げ管の下端は容器本体内に流入する水の表面近くに位置されていることを特徴とする請求項４または５に記載の水面の浮遊ごみ捕集装置。
【請求項８】
前記した容器本体の壁面で、開口縁近くとなる上方位置に複数の窓孔を形成してあることを特徴とする請求項１から７のうち１項に記載の水面の浮遊ごみ捕集装置。
【請求項９】
前記したウェイトは容器本体の二重底内に収納されていることを特徴とする請求項１から８のうち１項に記載の水面の浮遊ごみ捕集装置。
【請求項１０】
前記したウェイトとして、バッテリーを使用していることを特徴とする請求項１または２及び請求項４から９のうち１項に記載の水面の浮遊ごみ捕集装置。
【発明の詳細な説明】
【技術分野】
【０００１】
本発明は水面、例えば海、河川、湖沼、池、その他プール等の人工的貯水施設の水面に浮遊しているごみを自動的に捕集するための水面の浮遊ごみ捕集装置に関する。
【背景技術】
【０００２】
従来、上記した水面の浮遊ごみは、船、ボート等を利用するか、岸辺からの掻き寄せによる人力に頼った手作業で捕集されるもので、非常に煩わしく時間も人件費もかかってしまうものであった。また、場合によっては、かかる作業も行われることがなく、そのまま放置状態とされ、景観を悪化させるとともに悪臭の原因ともなり、健康にも悪影響を及ぼしてしまうものとなっていた。
【０００３】
また、時として、船舶からのオイル漏れ等も発生し、その水面に比重や界面張力で浮かぶオイルの回収はでき得ないか、非常に困難なものとなっている。
【０００４】
さらに、水面に浮遊するごみは、プラスチック製の袋、ペットボトル、紙屑、古布、空き缶、煙草の吸殻、木端等々多種多様なものが存在しており、そのごみを個別に捕集することは不可能に近い困難な作業となっている。
【先行技術文献】
【特許文献】
【０００５】
出願人は、本願発明に関して先行する技術文献を調査したが、格別に本願発明と関連し、類似していると思われる文献は発見できなかった。
【発明の概要】
【発明が解決しようとする課題】
【０００６】
本願発明が解決しようとする問題点は、従来、水面に浮遊している多種の雑多なごみを大掛かりな設備を不要とし、自動的に捕集する装置の存在はなかったという点である。
【課題を解決するための手段】
【０００７】
この問題点を解決するために、本発明に係る水面の浮遊ごみ捕集装置は、上面開口とし、底面にバランス調整用のウェイトを備えた容器本体を有し、その容器本体の開口外縁の近傍に複数のフロートを連結し、かつ、容器本体内には分別用のネットを設け、かつ、容器内に流入した水の汲み出し機構を備えていることを特徴としている。
【０００８】
また、本発明に係る水面の浮遊ごみ捕集装置は、少なくとも前記した容器本体の上面開口は円形としてあることを特徴とし、前記した水の汲み出し機構は、サイホン原理を利用したホースであることを特徴としている。
【０００９】
さらに、本発明に係る水面の浮遊ごみ捕集装置は、前記した水の汲み出し機構は、モーターを駆動源とするポンプであることを特徴とし、前記したポンプを備えた機構の上面にはモーターの電源として利用するソーラーパネルが備えられていることを特徴とし、前記したポンプを備えた機構の汲み上げ管の下端は容器本体の底面近くに位置されていることを特徴とし、前記したポンプを備えた機構の汲み上げ管の下端は容器本体内に流入する水の表面近くに位置されていることを特徴としている。
【００１０】
そして、本発明に係る水面の浮遊ごみ捕集装置は、前記した容器本体の壁面で、開口縁近くとなる上方位置に複数の窓孔を形成してあることを特徴とし、前記したウェイトは容器本体の二重底内に収納されていることを特徴とし、前記したウェイトとして、バッテリーを使用していることを特徴としている。
【発明の効果】
【００１１】
本発明に係る水面の浮遊ごみ捕集装置は上記のように構成されている。そのため、容器本体の開口縁を水面と略同一面に保持させることができ、その容器本体に重量が加えられることで、水面の浮遊ごみは表面張力で支承された状態で、その水面の水とともに容器内に流入することとなり、そのごみはネットで受け止めることとなり、他の水はネットを通過して容器内に溜まるが、この溜まった水は汲み出し機構で周域へ放水するので容器の位置状態を保持することができ、後にネットに捕集されたごみを廃棄することとなり、水面の浮遊ごみは大掛かりな設備を必要とすることなく、自然で自動的に捕集することができる。
【図面の簡単な説明】
【００１２】
【図１】第一実施例を示す正面図である。
【図２】平面図である。
【図３】第二実施例を示す正面図である。
【図４】第三実施例を示す正面図である。
【発明を実施するための形態】
【００１３】
図面として示し、実施例で説明したように構成したことで実現した。
【実施例１】
【００１４】
次に、図１及び図２を参照して、本発明の第一実施例を説明する。図中１は容器本体を示しており、この容器本体１は金属、もしくはプラスチックによって全体を成形されている。この容器本体１は上面に円形をした開口２を形成し、その開口２から下方に向けて徐々に径を小さくした筒状となっている。この容器本体１の底部分は二重底３となっており、ウェイトを収納することができるようになっているもので、この二重底３の施蓋は内側からでも外側からでも選択して行なうことができる。
【００１５】
また、容器本体１の開口２の縁部外側には複数、例えば１２０度ピッチで三個のフロート４、４‥が支持バー４ａ、４ａ‥を介して連接させており、容器本体１の沈下を防止している。
【００１６】
容器本体１の開口２の内縁には、ごみ集積用のネット５がその周縁を止着されて設けられており、このネット５はごみＲが集積して下方へ沈んで行っても、二重底３の上面には接触しない大きさと弛みを有したものとなっている。このネット５は、そのメッシュを選択調整することで、液体で水と混合しないオイルにも透過させずに溜めることも可能となる。ごみＲと共に開口２から流入した水はネット５を通過して容器本体１内に蓄積されていく。
【００１７】
一方、図中６、６‥は容器本体１内にごみＲと共に流入した水を外部へサイホンの原理を利用して汲み出し放出するためのホースを示しており、本実施例では、前記したフロート４、４‥の上方を跨ぐように設置されている。このホース６、６‥は逆Ｕ字状に設置され、その両端開口は容器本体１内の水及び外部の水へ挿入されている。その最頂内部の気圧を大気圧以下とするため、当初に負圧を作り、ホース６、６‥内に水を満たす作業をするための手動ポンプ７、７‥がそのホース６、６‥の最頂部分に設けられている。
【００１８】
この第一実施例にあって、容器本体１を水面に投下すると、ウェイトの作用で容器本体１は開口２を水面と略同一面もしくは水面より少々下った面として保持される。すると、水面の表面張力作用によって、水面の水はごみＲを支承したまま開口２の縁を乗り越えて容器本体１内に流入することとなる。この流入によってごみＲは、ネット５によって受け止められ、水はそのネット５を通過して容器本体１内に溜まっていくが、この溜まった水はホース６、６‥によって汲み上げられ、容器本体１外へ放出されることとなり、水面に浮遊している雑多なごみＲをネット５で捕集することができ、その後にネット５ごとごみＲを回収して廃棄処分することができる。
【実施例２】
【００１９】
次いで、図３を参照して本願発明の第二実施例を説明する。第一実施例と共通する部分は同一の符号を付して詳しい説明は省略する。この第二実施例では複数の排水パイプ１０、１０‥をフロート４、４‥で支承する構成で汲み出し機構が設けられている。複数の排水パイプ１０、１０‥の先端開口は水内には挿入されていないが、サイズによっては先端が水内に挿入されていてもよい。
【００２０】
この汲み出し機構は上面にモーター１１を搭載しており、このモーター１１の駆動力でポンプを作動させ、汲み上げパイプ１２によって容器本体１内に溜まった水を汲み上げ、前記排水パイプ１０、１０‥から外部に排水する。この第二実施例にあっては、汲み上げパイプ１２の下面開口（汲み上げ口）に二重底３の近傍まで延設されており、溜まった水の底部分からの汲み上げを行なうものとしている。また、この汲み上げパイプ１２はネット５を避けて容器本体１内で片寄せられるが、屈曲したパイプとすることもでき、或いはネット５に汲み上げパイプ１２の挿通孔を形成してもよい。
【００２１】
また、汲み出し機構の上面にはモーター１１の電源としてソーラーパネル１３が設けられているもので、加えて、ウェイトと兼用させるバッテリー１４も二重底３内に収納されており、電源を補助し、確保する構成となっている。
【実施例３】
【００２２】
続けて、図４を参照して本願発明の第三実施例を説明する。第一実施例、第二実施例と共通する部分は同一の符号を付して詳しい説明は省略する。この第三実施例では複数の排水パイプ１０、１０‥は、容器本体１の上面開口２の縁で支承されているもので、フロート４、４‥もこの支承を補助している。
【００２３】
この第三実施例では、容器本体１の周壁に、開口縁近くで複数の窓孔１５、１５‥が形成されており、この窓孔１５、１５‥を水面と対応させた構成としており、水とごみＲはこの窓孔１５、１５‥を通って容器本体１内へ流入するものとしている。
【００２４】
また、この第三実施例にあっては汲み上げパイプ１２ａの下端開口は容器本体１内の溜まった水の水面近くに位置される構成となっている。
【００２５】
本実施例に係る水面の浮遊ごみ捕集装置は上記のように構成されているもので、容器本体１はワイヤ、或いはロープで岸や作業船に繋留しておくと、回収に便利である。
【産業上の利用可能性】
【００２６】
本実施例に係る容器本体は、底に向かって徐々に径を小さくした円筒状としてあるが、開口２の形状は水とごみの流入に際して表面張力との関係から円形であることが望ましいが、本体胴部の形状は円筒状に特にこだわるものではない。
【符号の説明】
【００２７】
１    容器本体
２    開口
３    二重底
４    フロート
４ａ  支持バー
５    ネット
６    ホース
７    手動ポンプ
１０  排水パイプ
１１  モーター
１２、１２ａ  汲み上げパイプ
１３  ソーラーパネル
１４  バッテリー
１５  窓孔
Ｒ    ごみ
【図１】
2018017064.tif 000003
【図２】
2018017064.tif 000004
【図３】
2018017064.tif 000005
【図４】
2018017064.tif 000006